(57)【要約】【課題】成形不良の発生を抑制することができる走査レンズを提供する。【解決手段】走査レンズ１００は、樹脂によって成形されており、主走査方向に長尺状に形成されたレンズ部１１０と、レンズ部１１０の主走査方向の端部１１１，１１２から主走査方向外側に向けて延出するフランジ部１２０と、レンズ部１１０とフランジ部１２０の境界部分Ｂ１，Ｂ２の副走査方向両側において、主走査方向沿って延びるようにそれぞれ形成されたリブ部１３０とを備える。フランジ部１２０は、レンズ部１１０の端部１１１，１１２よりも光軸方向外側に位置する第１の面１２３と、第１の面１２３と端部１１１，１１２を接続する第２の面１２４とを有し、第１の面１２３と第２の面１２４の稜線ＥＬは、光軸方向から見て、主走査方向外側に向けて凸となる曲線状に形成されている。【選択図】図５
2014115367.tif 000002
【特許請求の範囲】
【請求項１】
樹脂によって成形された走査レンズであって、
主走査方向に長尺状に形成されたレンズ部と、
前記レンズ部の主走査方向の一端部から主走査方向外側に向けて延出するフランジ部と、
前記レンズ部と前記フランジ部の境界部分の副走査方向両側において、主走査方向沿って延びるようにそれぞれ形成されたリブ部と、を備え、
前記フランジ部は、前記レンズ部の前記一端部よりも光軸方向外側に位置する第１の面と、前記第１の面と前記一端部を接続する第２の面と、を有し、
前記第１の面と前記第２の面の稜線は、光軸方向から見て、主走査方向外側に向けて凸となる曲線状に形成されていることを特徴とする走査レンズ。
【請求項２】
前記リブ部は、前記一端部よりも光軸方向外側に位置する第３の面を有し、
前記第１の面と前記第３の面は、面一であることを特徴とする請求項１に記載の走査レンズ。
【請求項３】
前記第１の面は、光軸方向に対して直交する平面であることを特徴とする請求項１または請求項２に記載の走査レンズ。
【請求項４】
走査レンズの主走査方向の端面のうち前記一端部に近い側の端面に、金型のゲートに対応するゲート部を有することを特徴とする請求項１から請求項３のいずれか１項に記載の走査レンズ。
【請求項５】
走査レンズの主走査方向の端面のうち前記一端部から遠い側の端面に、金型のゲートに対応するゲート部を有することを特徴とする請求項１から請求項３のいずれか１項に記載の走査レンズ。
【請求項６】
前記フランジ部は、前記レンズ部の主走査方向の両端部にそれぞれ設けられていることを特徴とする請求項１から請求項３のいずれか１項に記載の走査レンズ。
【発明の詳細な説明】
【技術分野】
【０００１】
本発明は、樹脂によって成形された走査レンズに関する。
【背景技術】
【０００２】
レーザプリンタの光走査装置などで使用される、樹脂によって成形された走査レンズとして、主走査方向に長尺状に形成されたレンズ部と、レンズ部の主走査方向外側に設けられたフランジ部と、レンズ部とフランジ部の副走査方向両側に設けられたリブ部とを備えたものが知られている（特許文献１参照）。
【先行技術文献】
【特許文献】
【０００３】
【特許文献１】特開２００８−２４１８１７号公報
【発明の概要】
【発明が解決しようとする課題】
【０００４】
ところで、従来の走査レンズは、フランジ部とリブ部とにより形成される隅部が角張っているため、金型に樹脂を注入して走査レンズを成形する際にフランジ部とリブ部の隅部において樹脂の流動性が悪くなり、成形不良が発生しやすいという問題があった。
【０００５】
そこで、本発明は、成形不良の発生を抑制することができる走査レンズを提供することを目的とする。
【課題を解決するための手段】
【０００６】
前記した目的を達成するための本発明は、樹脂によって成形された走査レンズであって、主走査方向に長尺状に形成されたレンズ部と、レンズ部の主走査方向の一端部から主走査方向外側に向けて延出するフランジ部と、レンズ部とフランジ部の境界部分の副走査方向両側において、主走査方向沿って延びるようにそれぞれ形成されたリブ部と、を備える。
フランジ部は、レンズ部の前記一端部よりも光軸方向外側に位置する第１の面と、第１の面と前記一端部を接続する第２の面と、を有し、第１の面と第２の面の稜線は、光軸方向から見て、主走査方向外側に向けて凸となる曲線状に形成されている。
【０００７】
このような構成によれば、フランジ部とリブ部の隅部付近の断面形状を主走査方向において緩やかに変化させることができるので、走査レンズを成形する際のフランジ部とリブ部の隅部付近の樹脂の流動性を向上させることができる。これにより、走査レンズの成形不良の発生を抑制することができる。
【０００８】
前記した走査レンズにおいて、リブ部は、前記一端部よりも光軸方向外側に位置する第３の面を有し、第１の面と第３の面は、面一である構成とすることができる。
【０００９】
これによれば、フランジ部の第１の面とリブ部の第３の面との間に段差が形成されないため、リブ部からフランジ部への樹脂の流動性を向上させることができ、走査レンズの成形不良の発生をより抑制することができる。
【００１０】
前記した走査レンズにおいて、第１の面は、光軸方向に対して直交する平面である構成とすることができる。
【００１１】
これによれば、走査レンズを光走査装置などのフレームに取り付ける際に、フランジ部の第１の面を位置決め面として利用可能となるので、走査レンズをフレームに取り付ける際の取り付け性を向上させることができる。また、位置決めとして機能する部分を第１の面とは別に形成する場合と比較して、走査レンズの形状を簡略化することができる。
【００１２】
前記した走査レンズは、走査レンズの主走査方向の端面のうち前記一端部に近い側の端面に、金型のゲートに対応するゲート部を有する構成とすることができる。
【００１３】
これによれば、ゲートから樹脂が注入されることで、フランジ部からリブ部に向けて流れる樹脂の圧力が高くなってフランジ部とリブ部の隅部付近の樹脂の流れが乱れやすくなるが、隅部付近の断面形状を緩やかに変化させることができる本発明によれば、樹脂の流れを安定させることができる。
【００１４】
また、前記した走査レンズは、走査レンズの主走査方向の端面のうち前記一端部から遠い側の端面に、金型のゲートに対応するゲート部を有する構成とすることもできる。
【００１５】
これによれば、フランジ部付近ではゲートから注入された樹脂の圧力が低下するため、樹脂がゲート側と比較して流れにくくなるが、フランジ部とリブ部の隅部付近の断面形状を緩やかに変化させることができる本発明によれば、ゲートからフランジ部の端面に向けて樹脂を良好に流すことができる。
【００１６】
また、前記した走査レンズにおいて、フランジ部は、レンズ部の主走査方向の両端部にそれぞれ設けられている構成とすることもできる。
【００１７】
これによれば、ゲートから注入された樹脂を走査レンズの主走査方向全体にわたって良好に流すことができる。
【発明の効果】
【００１８】
本発明によれば、樹脂製の走査レンズの成形不良の発生を抑制することができる。
【図面の簡単な説明】
【００１９】
【図１】本発明の走査レンズを備えた光走査装置の概略構成を示す斜視図である。
【図２】一実施形態に係る走査レンズと光走査装置のフレームの斜視図である。
【図３】走査レンズを第１突出部側から見た図である。
【図４】走査レンズを副走査方向に直交する面で切断した断面図である。
【図５】走査レンズをレーザ光の出射側から見た図である。
【図６】走査レンズのゲート部から遠い側の端部の拡大図であり、第１突出部側から見た図（ａ）と、レーザ光の出射側から見た図（ｂ）である。
【図７】走査レンズのゲート部に近い側の端部の拡大図であり、第１突出部側から見た図（ａ）と、レーザ光の出射側から見た図（ｂ）である。
【発明を実施するための形態】
【００２０】
以下、本発明の一実施形態について、適宜図面を参照しながら詳細に説明する。なお、以下の説明において、主走査方向とは、感光体ドラムなどの被走査面上におけるレーザ光の走査方向であって走査レンズの長手方向と同じ方向であり、副走査方向とは、主走査方向と走査レンズの光軸方向の両方に直交する方向である。
【００２１】
まず、本発明の走査レンズが使用される光走査装置の概略構成について説明する。
図１に示すように、本実施形態に係る光走査装置１は、光源の一例としての半導体レーザ２と、開口絞り３と、カップリングレンズ４と、偏向器の一例としてのポリゴンミラー５と、走査レンズ１００と、走査レンズ１００などの光学部品が取り付けられるフレーム１０とを主に備え、半導体レーザ２から出射されたレーザ光を図示しない被走査面に点状に集光し、走査するように構成されている。
【００２２】
半導体レーザ２は、レーザ光を出射する公知の素子である。
開口絞り３は、フレーム１０の内部に設けられた壁に開口３Ａを形成したものであり、本実施形態においてはフレーム１０に一体に設けられている。この開口絞り３は、半導体レーザ２から出射されたレーザ光の主走査方向および副走査方向の幅を規定する。
【００２３】
カップリングレンズ４は、開口絞り３を通過したレーザ光を主走査方向に略平行の光束に変換するとともに、ポリゴンミラー５のミラー面５Ａ上に副走査方向に結像させるレンズである。
ポリゴンミラー５は、４つのミラー面５Ａが回転軸５Ｂから等距離に配置された部材であり、回転軸５Ｂを中心に一定速度で回転することで、カップリングレンズ４を通過したレーザ光を反射して主走査方向に偏向する。
【００２４】
走査レンズ１００は、ポリゴンミラー５で偏向されたレーザ光が通過するレンズである。この走査レンズ１００は、レーザ光を図示しない被走査面上に点状に結像させるとともに、ポリゴンミラー５のミラー面５Ａの面倒れを補正する。また、走査レンズ１００は、ポリゴンミラー５により等角速度で偏向されたレーザ光を、被走査面上に等速度で走査するようなｆθ特性を有している。
【００２５】
次に、本発明の特徴部分に関連する走査レンズ１００の詳細な構成について説明する。
図２に示す走査レンズ１００は、その形状に対応するキャビティを有する金型に溶融樹脂を注入し、樹脂を固めることで成形されている。本発明において、走査レンズを成形する具体的な方法については特に限定されず、例えば、射出成形法などを採用することができる。このような成形方法によって成形される走査レンズ１００は、図３に示すように、主走査方向に沿って直線状に延びるパーティングラインＰＬを有し、さらに、主走査方向の端面１０１，１０２のうちの一方の端面１０１に金型のゲートに対応する、一例としてゲート残りが凸状をなすゲート部Ｇを有している。
【００２６】
図２および図３に示すように、走査レンズ１００は、レンズ部１１０と、一対のフランジ部１２０と、一対のリブ部１３０と、第１突出部１４０と、第２突出部１５０と、第３突出部１６０と、第４突出部１７０とを主に備えて構成されている。なお、図３は、図２に示す走査レンズ１００を下側から見た状態を示している。
【００２７】
図３および図４に示すように、レンズ部１１０は、主走査方向に長尺状に形成されており、レーザ光が入射されるレンズ面１１０Ａと、レーザ光を出射するレンズ面１１０Ｂとを有している。レンズ部１１０の光軸方向の厚さは、主走査方向の中央部が端部１１１，１１２よりも大きくなっており、端部１１１，１１２に向けて徐々に小さくなっている。
【００２８】
フランジ部１２０は、レンズ部１１０の主走査方向の端部１１１，１１２から主走査方向外側、すなわちレンズ部１１０の中心から離れる方向に向けて延出するように、レンズ部１１０の主走査方向の端部１１１，１１２にそれぞれ設けられている。
【００２９】
フランジ部１２０の光軸方向の面のうち、レーザ光の入射側の面である入射側面１２１は、レンズ面１１０Ａから連続して走査レンズ１００の端面１０１，１０２側に向けて延びるように形成されている。入射側面１２１の第１突出部１４０および第３突出部１６０よりも主走査方向外側の部分は、光軸方向に対して直交する平面として形成され、図１および図２に示すように、走査レンズ１００をフレーム１０に取り付けたときに、フレーム１０の内部に設けられた一対のリブ１３に当接させることでフレーム１０に対する走査レンズ１００の光軸方向の位置を決める位置決め部として機能する。
【００３０】
図３および図４に戻り、レーザ光の出射側の面である出射側面１２２は、レンズ部１１０の端部１１１，１１２よりも光軸方向外側に位置する第１の面１２３と、第１の面１２３と端部１１１，１１２を接続する第２の面１２４とを有して形成されている。言い換えれば、フランジ部１２０は、レンズ部１１０の端部１１１、１１２よりも光軸方向に突出するように形成されている。これにより、走査レンズ１００には、レンズ部１１０とフランジ部１２０の境界部分Ｂ１，Ｂ２付近に光軸方向に凹む形状の凹部１０３が形成されている。また、出射側面１２２のうち、第１の面１２３は、光軸方向に対して直交する平面として形成され、第２の面１２４は、光軸方向に対して傾斜した面として形成されている。
【００３１】
なお、図１および図２に示すように、フレーム１０には、走査レンズ１００を取り付ける際の光軸方向の位置の基準となる前記したリブ１３が主走査方向の両端部にそれぞれ設けられており、また、各リブ１３に対向する位置に板状の樹脂バネ１４がそれぞれ設けられている。走査レンズ１００は、フランジ部１２０がリブ１３と樹脂バネ１４との間に挿入されることで、樹脂バネ１４によって第１の面１２３が付勢されることで、入射側面１２１がリブ１３に押し付けられた状態でフレーム１０に支持されている。本実施形態では、第１の面１２３が光軸方向に対して直交する平面であることで、樹脂バネ１４によりフランジ部１２０をリブ１３に向けて安定して付勢することができる。
【００３２】
図３および図５に示すように、リブ部１３０は、レンズ部１１０とフランジ部１２０の境界部分Ｂ１，Ｂ２を含む、レンズ部１１０とフランジ部１２０の副走査方向両側において、主走査方向に沿って延びるようにそれぞれ形成されている。より詳細に、リブ部１３０は、副走査方向から見て、主走査方向の中央部分である幅広部１３０Ａと、主走査方向の両側部分である幅狭部１３０Ｂと、幅広部１３０Ａと幅狭部１３０Ｂとを連結する連結部１３０Ｃとを有して構成されている。
【００３３】
幅狭部１３０Ｂは、レンズ部１１０とフランジ部１２０とにより形成される凹部１０３（図４参照）の底よりも光軸方向に突出している。幅狭部１３０Ｂのレーザ光の出射側の面である第３の面１３２は、フランジ部１２０の第１の面１２３と面一な面として形成されている。
【００３４】
幅広部１３０Ａの主走査方向中央には、光軸方向外側に向けて突出する凸部１３３がそれぞれ設けられている。凸部１３３のうちの一方は、図１および図２に示すように、走査レンズ１００をフレーム１０に取り付けたときに、フレーム１０に設けられた凹部１１に係合させることでフレーム１０に対する走査レンズ１００の主走査方向の位置を決める位置決め部として機能する。
【００３５】
図６（ｂ）および図７（ｂ）に示すように、各フランジ部１２０の第１の面１２３と第２の面１２４の稜線ＥＬは、光軸方向から見たとき、全体として主走査方向外側に向けて凸となる曲線状をなしており、リブ部１３０の副走査方向内側の端縁に連続するように形成されている。より詳細に、本実施形態において、稜線ＥＬは、副走査方向の中央部分であって副走査方向に沿って略まっすぐ延びる直線部ＥＬ１と、直線部ＥＬ１の端部からリブ部１３０の端縁に連続するように湾曲しながら延びる曲線部ＥＬ２とを主に有して構成されている。本発明において、第１の面と第２の面の稜線は、湾曲する部分が、走査レンズの成形時に通常形成される角部や隅部の丸みよりも大きくなっており、例えば、本実施形態の稜線ＥＬについて言えば、直線部ＥＬ１の副走査方向の長さをＬ１、曲線部ＥＬ２の副走査方向の長さをＬ２として、Ｌ１＜Ｌ２となっている。
【００３６】
曲線部ＥＬ２の湾曲形状と、レンズ部１１０の端部１１１，１１２の角部１１３の湾曲形状とは互いに異なっており、具体的には、曲線部ＥＬ２の方が、端部１１１，１１２の角部１１３よりも緩やかな湾曲形状をなしている。第２の面１２４の副走査方向両側の部分は、曲線部ＥＬ２から角部１１３に向かうにつれて湾曲形状が徐々に角部１１３の形状に近づくように、第１の面１２３と端部１１１，１１２とを滑らかに接続している。
【００３７】
図５に示すように、第１突出部１４０および第３突出部１６０は、走査レンズ１００の副走査方向の一側面、詳細には一方のリブ部１３０の側面１３４から副走査方向外側である図示下側に向けて突出するように形成されている。また、第２突出部１５０および第４突出部１７０は、走査レンズ１００の前記した一側面とは反対側の側面、詳細には他方のリブ部１３０の側面１３５から副走査方向外側である図示上側に向けて突出するように形成されている。
【００３８】
より詳細に、図６（ａ），（ｂ）に示すように、第１突出部１４０は、副走査方向から見て、レンズ部１１０とフランジ部１２０の境界部分Ｂ２と、レンズ部１１０とフランジ部１２０とにより形成される凹部１０３の両方に重なる位置に設けられている。一方、第２突出部１５０は、境界部分Ｂ２を挟んで第１突出部１４０と対称な位置および対称な形状に形成されている。
【００３９】
また、図７（ａ），（ｂ）に示すように、第３突出部１６０は、副走査方向から見て、レンズ部１１０とフランジ部１２０の境界部分Ｂ１よりも主走査方向外側であって、当該境界部分Ｂ１に隣接する位置に設けられている。一方、第４突出部１７０は、フランジ部１２０を挟んで第３突出部１６０と対称な位置および対称な形状に形成されている。
【００４０】
第１突出部１４０と第３突出部１６０は、レンズ面１１０Ａ，１１０Ｂの中心を基準として対称な位置に設けられており、第２突出部１５０と第４突出部１７０は、レンズ面１１０Ａ，１１０Ｂの中心を基準として対称な位置に設けられている。
【００４１】
第１突出部１４０、第２突出部１５０、第３突出部１６０および第４突出部１７０は、図６（ａ）および図７（ａ）を代表として示すように、それぞれ、パーティングラインＰＬから光軸方向に離れるにしたがって主走査方向の幅が徐々に小さくなるような、略山型形状に形成されている。これにより、走査レンズ１００の成形時において、走査レンズ１００を金型から取り出す際に各突出部１４０〜１７０が抵抗になりにくいため、走査レンズ１００を金型から容易に取り出すことができ、走査レンズ１００の生産性を向上させることができる。
【００４２】
また、第１突出部１４０、第２突出部１５０、第３突出部１６０および第４突出部１７０は、それぞれ、副走査方向外側の面が副走査方向に対して直交する平面状に形成されている。第１突出部１４０および第３突出部１６０の副走査方向外側の面１４１，１６１は、図１および図２に示すように、走査レンズ１００をフレーム１０に取り付けたときに、フレーム１０の底壁１２に形成された当接部１２Ａに当接させることでフレーム１０に対する走査レンズ１００の副走査方向の位置を決める位置決め部として機能する。
【００４３】
以上説明した本実施形態によれば、以下のような作用効果を得ることができる。
走査レンズ１００は、第１の面１２３と第２の面１２４の稜線ＥＬが主走査方向外側に向けて凸となる曲線状に形成されていることで、フランジ部１２０とリブ部１３０とにより形成される隅部が角張っていないため、当該隅部付近の断面形状を主走査方向において緩やかに変化させることができる。これにより、走査レンズ１００を成形する際のフランジ部１２０とリブ部１３０の隅部付近の樹脂の流動性を向上できるので、走査レンズ１００の成形不良の発生を抑制することができる。
【００４４】
また、フランジ部１２０の第１の面１２３とリブ部１３０の第３の面１３２が面一であることで、第１の面１２３と第３の面１３２との間に段差が形成されないため、リブ部１３０からフランジ部１２０への樹脂の流動性を向上させることができ、走査レンズ１００の成形不良の発生をより抑制することができる。
【００４５】
また、ゲート部Ｇを有するフランジ部１２０の稜線ＥＬが前記した曲線状に形成されることで、走査レンズ１００の成形時に樹脂の流動性を安定させることができる。ゲート部Ｇを有するフランジ部１２０付近は、ゲートから樹脂が注入されることで、樹脂の圧力が高くなってフランジ部１２０とリブ部１３０の隅部付近の樹脂の流れが乱れやすくなるが、本実施形態では、フランジ部１２０とリブ部１３０の隅部付近の断面形状が緩やかに変化しているからである。
【００４６】
一方、ゲート部Ｇから遠い側のフランジ部１２０の稜線ＥＬが前記した曲線状に形成されていることで、ゲートから注入された樹脂をゲート部Ｇ側とは反対側の端面１０２に向けて良好に流すことができる。ゲート部Ｇから遠い側のフランジ部１２０付近では注入された樹脂の圧力が低下するため、樹脂がゲート部Ｇ側と比較して流れにくくなるが、本実施形態では、フランジ部１２０とリブ部１３０の隅部付近の断面形状が緩やかに変化しているからである。
【００４７】
また、レンズ部１１０の両端部に設けられたフランジ部１２０のそれぞれにおいて、稜線ＥＬが前記した曲線状に形成されていることで、ゲートから注入された樹脂を走査レンズ１００の主走査方向全体にわたって良好に流すことができる。
【００４８】
また、走査レンズ１００は、レンズ部１１０とフランジ部１２０の境界部分Ｂ２付近に凹部１０３ができることで光軸方向の厚さが小さくなるが、境界部分Ｂ２付近に第１突出部１４０やリブ部１３０が設けられていることで、第１突出部１４０やリブ部１３０を設けない場合と比較して、境界部分Ｂ２付近の断面積を大きくすることができる。言い換えれば、走査レンズ１００は、フランジ部１２０の断面積に対して境界部分Ｂ２付近の断面積が減少するのを緩和することができる。これにより、走査レンズ１００を成形する際の境界部分Ｂ２付近の樹脂の流動性を向上できるので、走査レンズ１００の成形性を向上させることができる。
【００４９】
特に本実施形態では、第１突出部１４０の反対側に第２突出部１５０が設けられており、また、各突出部１４０，１５０が境界部分Ｂ２と凹部１０３の両方に重なる位置に設けられていることで各突出部１４０，１５０が光軸方向に長くなっているので、境界部分Ｂ２付近の断面積をより大きくすることができる。また、本実施形態では、第１突出部１４０と第２突出部１５０が対称に形成されていることで、境界部分Ｂ２付近の樹脂の流れを副走査方向両側で略均一することができる。これらにより、成形時の境界部分Ｂ２付近の樹脂の流動性をより向上できるので、走査レンズ１００の成形性をより向上させることができる。
【００５０】
また、レンズ部の光軸方向の厚さが端部より中央部の方が大きい構成では、成形時の端部付近の樹脂の流動性を確保するために端部の厚さをある程度確保する必要があるが、本実施形態では、境界部分Ｂ２（端部１１２）付近の樹脂の流動性を向上できることで、端部１１２の厚さを従来よりも薄くできる。特に本実施形態では、端部１１２の光軸方向の厚さは、レンズ部１１０の光軸方向の厚さのうちで最も小さく（薄く）なっている。これにより、走査レンズ１００を全体として光軸方向に薄型化することができる。
【００５１】
また、第１突出部１４０から遠い側の端面１０１にゲート部Ｇを有する構成では、境界部分Ｂ２付近は、ゲートから注入された樹脂の圧力が低下するため、樹脂が流れにくくなり得るが、本実施形態では、境界部分Ｂ２付近の樹脂の流動性を向上できることで、ゲート側の端面１０１から端面１０２に向けて樹脂を良好に流すことができる。
【００５２】
また、本実施形態では、境界部分Ｂ２付近に形成された第１突出部１４０に位置決め部としての面１４１を設けたので、当該面１４１を精度良く形成することができる。境界部分Ｂ２付近はフランジ部１２０よりも金型のキャビティが狭くなるので、成形の際に樹脂の圧力が高くなるため、ひけなどが起こりにくいからである。
【００５３】
また、本実施形態では、レンズ部１１０とフランジ部１２０の境界部分Ｂ１，Ｂ２よりも光軸方向の厚さが大きいため強度の高いフランジ部１２０に、位置決め部としての入射側面１２１が設けられているので、走査レンズ１００をフレーム１０に取り付ける際の走査レンズ１００の変形を抑制することができる。
【００５４】
以上、本発明の実施形態について説明したが、本発明は前記実施形態に限定されるものではない。具体的な構成については、下記のように本発明の趣旨を逸脱しない範囲で適宜変更が可能である。
【００５５】
前記実施形態では、第１突出部１４０が、レンズ部１１０とフランジ部１２０の境界部分Ｂ２と、レンズ部１１０とフランジ部１２０とにより形成される凹部１０３の両方に重なる位置に設けられていたが、本発明はこれに限定されるものではない。例えば、第１突出部は、レンズ部とフランジ部の境界部分に重なる位置にだけかかるように設けられていてもよい。
【００５６】
前記実施形態では、レンズ部１１０とフランジ部１２０の境界部分に重なる位置に設けられた第１突出部１４０が、走査レンズ１００の主走査方向の一方側だけに形成されていたが、本発明はこれに限定されるものではない。例えば、本発明の第１突出部は、走査レンズ１００の主走査方向の両側にそれぞれ形成されていてもよい。具体的には、例えば、前記実施形態において、第３突出部１６０が境界部分Ｂ１に重なる位置に設けられていてもよい。
【００５７】
前記実施形態では、第１突出部１４０の反対側に第２突出部１５０が設けられていたが、本発明はこれに限定されず、例えば、第２突出部を備えない構成であってもよい。
なお、前記実施形態で示した突出部１４０〜１７０の具体的な構成は一例であり、本発明は前記実施形態の構成に限定されるものではない。例えば、突出部は、円柱状に形成されていてもよいし、略半球状に形成されていてもよい。
【００５８】
前記実施形態では、フランジ部１２０の入射側面１２１が走査レンズ１００の光軸方向の位置を決めるための位置決め部として機能する形態を例示したが、本発明はこれに限定されず、光軸方向に対して直交する平面である第１の面１２３が位置決め部として機能する形態であってもよい。このように走査レンズが位置決め部を有することで、光走査装置のフレームに対する走査レンズの取り付け性を向上させることができる。また、位置決めとして機能する部分を前記実施形態の入射側面１２１や第１の面１２３とは別に形成する構成と比較して、走査レンズの形状を簡略化することができる。
【００５９】
前記実施形態では、フランジ部１２０がレンズ部１１０の端部１１１，１１２にそれぞれ設けられていたが、本発明はこれに限定されず、例えば、レンズ部の主走査方向の一方の端部だけに設けられていてもよい。なお、フランジ部がレンズ部の一端部だけに設けられている場合、走査レンズは、主走査方向の端面のうちレンズ部の一端部に近い側の端面にゲート部を有する構成であってもよいし、主走査方向の端面のうちレンズ部の一端部から遠い側の端面にゲート部を有する構成であってもよい。
【００６０】
前記実施形態で示したリブ部１３０の具体的な構成は一例であり、本発明は前記実施形態の構成に限定されるものではない。例えば、リブ部は、副走査方向から見て、レンズ部とフランジ部の両方を完全に覆うように形成されていてもよい。
【００６１】
前記実施形態で示したレンズ部１１０やフランジ部１２０の具体的な構成は一例であり、本発明は前記実施形態の構成に限定されるものではない。例えば、フランジ部は、第１の面が曲面であってもよい。
【００６２】
前記実施形態では、走査レンズ１００は、レンズ部１１０の光軸方向の中央付近にパーティングラインＰＬを有していたが、本発明はこれに限定されるものではない。すなわち、本発明においてパーティングラインが形成される位置は特に限定されず、例えば、走査レンズは、レンズ部の光軸方向の端部にパーティングラインを有していてもよい。
【００６３】
前記実施形態では、ポリゴンミラー５が４つのミラー面５Ａを有していたが、本発明はこれに限定されず、例えば、ミラー面は６つであってもよい。また、前記実施形態では、偏向器としてポリゴンミラー５を例示したが、本発明はこれに限定されず、例えば、揺動することで光を偏向する振動ミラーなどであってもよい。また、前記実施形態では、光源としての半導体レーザ２を例示したが、本発明はこれに限定されず、半導体レーザ以外の光源であってもよい。
【符号の説明】
【００６４】
１００  走査レンズ
１０１  端面
１０２  端面
１１０  レンズ部
１１１  端部
１１２  端部
１２０  フランジ部
１２３  第１の面
１２４  第２の面
１３０  リブ部
１３２  第３の面
Ｂ１    境界部分
Ｂ２    境界部分
ＥＬ    稜線
Ｇ      ゲート部
【図１】
2014115367.tif 000003
【図２】
2014115367.tif 000004
【図３】
2014115367.tif 000005
【図４】
2014115367.tif 000006
【図５】
2014115367.tif 000007
【図６】
2014115367.tif 000008
【図７】
2014115367.tif 000009